(57)【要約】【課題】            本発明は、折畳自在、携帯自在であると同時に、意匠性にも優れた強固且つ防水性の環境に適したダンボ−ル製簡易椅子を提供せんとするものである。【解決手段】            本発明のダンボ−ル製折畳椅子は、所定寸法のダンボ−ル芯部を補強するか補強する事無く美粧紙で被覆し、この被覆ダンボ−ルに適当寸法の横折り目を付して椅子脚部並びに天板を形成する一対の前後正面板を作成すると同時に、同一材料の一対の縦折り目付き側面板を作成して、此等両者を同一美粧紙で貼着接続して、六面体の脚部と二つ折一面の天板とより成る椅子本体を形成し、此の天板上に同様に制作された一対の補強用座板を個別的に貼着して、前記側板の折り目を押圧するか或は前記天板の継ぎ目を引き上げるかすれば、即座に二つ折に折り畳まれる様に構成した事を特徴とする。【選択図】        図１
2005218836.tif 000002
【特許請求の範囲】
【発明の詳細な説明】
【技術分野】
【０００１】            本発明は、軽量且つ安価で折畳自在のダンボ−ル製簡易椅子に関し、手軽に何処にでも携帯出来、何処ででも使用出来る便利且つ丈夫な紙製の七面体折畳椅子を提供せんとするものである。
【背景技術】
【０００２】            従来、野外コンサ−ト、集会、運動会、花見等の催物、会合、宴会等で一時的に使用する簡易椅子として、紙製特にダンボ−ル製椅子等は、多数提案されており、いずれも安価軽量で、折畳自在、携帯自在である利点を備えている反面、強度並びに耐水性に乏しく、外観も見栄えしないものが多く存在していた。此等の欠点を改善するために、補強板や折り込みを多くすると供に防水加工等を施して改善せんとしたが、必然的にコスト高となり、取扱も複雑に成って本来の目的が失われるとゆう不都合も発生した。この様な点を考慮して、此等不都合を改善せんとした先行技術が以下の特許文献に開示されている。【特許文献１】特開平７−３２７７７０
【特許文献２】特開平１０−２１１０４７
【特許文献３】実用新案登録第３０７５２３６号
【発明の開示】
【発明が解決しようとする課題】
【０００３】            然しながら此等特許文献の内特開平７−３２７７７０号の簡易椅子は、中空方形で主部をダンボ−ルで形成した２個以上の折り曲げ部を有する脚部と、同質の方形天板部とより成り、少なくとも一個の折り曲げ部を介して結合したダンボ−ル製の椅子であるから、確かに安価且つ携帯に便利であるかも知れないが、脚部と天板部とが供に方形で、あたかも釣り道具のク−ラ−型のものであるから、極めて意匠製に乏しく、単なる箱型腰掛けの域を出ない無粋な腰掛けに過ぎないものである。更に又、これを携帯する場合には、一度脚部の係合部を解除して一枚の紙型とし、再び折り曲げて運ばねばならない不便が有り、防水加工も施していないので雨天等では使用出来ない欠点がある。【０００４】            更に、特許文献２の特開平１０−２１１０４７号は、強度も有り、素材を分解する事なく折畳みし得るので、携帯用簡易椅子として適当な物品であるかも知れないが、蛇腹部分が側方に突出しているので、椅子として相応しい形状であるとは思われず、繰り返し使用する程の商品価値もなく、又ワンタッチで折り畳みし得る程の便利性も持ち合わせていないと推測される。【０００５】            又、特許文献３の実用新案登録第３０７５２３６号の簡易椅子は、供にダンボ−ル製の平面がほぼ七角形状の脚筒部とその座部夫々一対から成る二個の構成体を、相互に係止結合させて一体化させた物であるから、その丈夫さは肯定出来るが、組み立て完成に手間が掛かり、携帯時には又分解して持ち運ばれねば成らず、意匠的にもスマ−トなデザインとは受け取れ難い物である。
【課題を解決する為の手段】
【０００６】            斯の如き点を考慮して本発明は、堅牢であると同時に意匠性も高く、防水性にも優れ、組立又は折畳もワンタッチで出来、通常の椅子に対抗し得る程の商品価値を持ったダンボ−ル製簡易折畳椅子を提供するものである。
【０００７】            此の様な目的の為に、本発明の簡易椅子組立用の各部分は、その芯材として所定厚みのダンボ−ルを使用して、折り目付き正面中芯部、折り目付き側面中芯部及び座板中芯部の三部分に区分され、前記座板中芯部のみは二枚重ねとされた後、ボ−ド紙等の固紙で被覆補強され、更にこの補強部分は、他の二部分と同様に、防水性美粧紙で被覆され、他の部分と同じ美粧紙で夫々がつなぎ合わされて七面体の床机状の椅子に形成されたものである。
【０００８】            従って此等構成部分は、上方向に二つ折出来る座板一組と、同方向に折畳自在の正面板二組（一部は天板）と、横方向に二つ折自在の二組の側面板との三次元的連結体より成るものであるから、縦横方向に多数の折り込み部分を有するので、正面板の一部の天板に掛かる荷重には相当強く拮抗して極めて強固であると同時に、古来から使用されている床机状腰掛けであるので、和風椅子として違和感なく顧客に受け入れられ、然も天板又は側面板の何れかの継ぎ目又は折り目を、上又は横に折り込むだけで、完全に二つ折りに収縮出来るので、携帯容易な簡便折畳エコロジ−椅子として流通市場に提供する事が出来る。
【発明の効果】
【０００９】            斯くて本発明の簡易ダンボ−ル製折畳椅子は、従来の此の種の椅子が備えていない以下の優れた効果を有している。  （ａ）  意匠的効果が大きい。  （ｂ）  外形が床机状腰掛けに似ているので和風椅子として違和感なく受け入れられる。  （ｃ）  丈夫で耐水性にも優れている。  （ｄ）  ワンタッチで二つ折りが可能で、持ち運びが容易で便利である。  （ｅ）  意匠製が優れているので室内外の使用が問題に成らない。  （ｆ）  リサイクルが可能で環境に優しいので使い捨ても可能である。  （ｇ）  ギフト商品、販促品としても利用可能である。
【発明を実施する為の最良の形態】
【００１０】            此の様な作用効果を備える本発明の最良の形態は、折畳自在の二枚のダンボ−ル製の正面板と、同質同数の側面板と、一対の二つ折りダンボ−ル座板及び中包み補強固紙を、単に美粧紙でくるみ且つ相互に立体的に連結したのみのシンプルな構造体を形成した点にあり、その結果、意匠性の高い多重折り、多面体の床机状の腰掛けを創造出来たのであるから、天板に掛かる荷重に対しても極めて強く拮抗する特性を有し、その折畳時には、単に天板若しくは側面板の継ぎ目若しくは折り目を引き上げるか押し込むかするだけで二つ折りに折り畳み、携帯に便利な所望の寸法に収縮出来る様に構成した事を特徴としている。又、此等各面を所望の色彩の塗料等で塗装すれば、耐水性を付与し商品価値も増大さす事も可能である。以下に図面を参照して本発明の好個の実施例を詳述する。
【実施例】
【００１１】            本発明のダンボ−ル製簡易椅子（１）は、図１に示し且つ下記に詳述する様に、美粧紙で被覆されて夫々の意匠性及び防水性を与えられたダンボ−ルより成る前後一対の横折り正面板（４）（４）と、同質同形の左右一対の縦折り側面板（５）（５）と、補強固紙で補強された後、更に美粧紙で被覆されている一対の補強座板（３）（３）との貼着組合せより成り、前記側面板（５）（５）の折り目（Ｃ２）（Ｃ２）、若しくは前記天板（３’）（３’）上の継ぎ目（ｊ１）に沿って、（ｆ）方向に押圧するか又は（Ｆ）方向に引き上げるかする事に依って、ワンタッチで、図２に示す様に、折り畳む事が出来る様に構成されている。【００１２】            此の様な構成部分より成る各成分は、図４に示す如く、正面板ダンボ−ル芯（１２）、側面板ダンボ−ル芯（１３）及び補強座板ダンボ−ル芯（１０）として切り出され、以下に示す如く、補強用固紙（ボ−ド紙）及び表面カバ−（美粧厚紙）で包み込まれて使用される。【００１３】            即ち先ず最初に、前記正面板（４）（４）の上部で形成される天板（３’）（３’）部分上に、夫々別個に接着される補強座板（１０）は、図４−Ｃに示すダンボ−ル（１０）を折り線（Ｃ３）に沿って二つ折りにし、図３に矢印で示す如く、補強用ボ−ド紙（１１）（図５参照）内に収納して包み込み、強固に接着した後、更に図６−Ｃの美粧紙（１６）でくるみ込み、当該椅子の組立一成分として別途に準備される。【００１４】            次いで当該椅子の六面体脚部（２）を構成する一対の前記正面板（４）及び一対の前記側面板（５）（５）は、其等のダンボ−ル芯材（１２）（１３）が縦方向の荷重に対して拮抗性が強いので、補強用ボ−ド紙を使用せず、図４に示す様に、夫々図６−Ａの美粧紙切り出し（１４）（脚部くるみ用）、同−Ｄの切り出し（１７）（天板裏面用）及び同−Ｂの切り出し（１５）のみで夫々被覆されて使用される。【００１５】            斯くて美粧紙で被覆された此等一対の正面板（４）（４）及び側面板（５）（５）は、夫々の継ぎ目及び折り目を以下のつなぎ美粧紙で貼着され、接続されて、ダンボ−ル製椅子本体に仕上げられる。即ち：    （ａ）  天板継ぎ目（ｊ１）［正面板（４）−（４）の天板部分］の裏面つなぎ一ケ所を、図７の美粧紙つなぎ（６）で貼着接続する。    （ｂ）  正面板（４）（４）の正面部分と側面板（５）（５）の両端部との裏コ−ナ−つなぎの４ケ所を、図７−Ｂの美粧紙つなぎ（９）で貼着接続する。    （ｃ）  同表コ−ナ−つなぎ４ケ所を、図７−Ｃの美粧紙つなぎ（７）で貼着接続する。    （ｄ）  側面板（５）（５）の折り目（Ｃ１）の裏側ジョイント２ケ所を、図７の美粧紙つなぎ（８）で貼着接続する。【００１６】          斯くの如く組立てられた椅子本体の天板（３’）（３’）上には、上記の如く準備された一対の補強座板（３）（３）が、夫々別個にその継ぎ目（ｊ１）に沿って貼りつけられ、図１及び図２に示す如く、天板裏若しくは側面板横の継ぎ目又は折り目を、単に引き上げるか押圧するかするだけで二つ折りにされる簡易折畳椅子に形成される。【００１７】            此の様に完成され、美粧紙でくるまれて装飾された当該椅子は、必要に応じて、防水塗��を塗布するか或は塗布することなく、油性着色塗料等で塗装して一層その意匠性、装飾性及び防水性を高める事も出来る。
【産業上の利用性】
【００１８】            斯くて本発明のダンボ−ル製簡易椅子は、その強度に於て通常の椅子と遜色無く、しかもリサイクル可能な環境に優しいエコ製品でもあるので、種々な催し物、会合、スポ−ツ場、ピクニック、ハイキング、等に気軽に利用出来、更にはその包装紙の選択如何で、夫々の商品の装飾性、意匠性を簡単に改善し得るので、室内外を問わずその利用性は高められ、又携帯自在、使い捨て自在の商品製造の可能性から、家庭用、個人用商品に限らず、業務用、営業用のギフト、販促品としての販路にも、大きな期待を寄せる事が可能である。
【図面の簡単な説明】
【００１９】
【図１】本発明のダンボ−ル製折畳椅子の斜視図である。
【図２】図１の椅子の折畳状態を示す斜視図である。
【図３】本発明の折畳椅子の天板補強座板のダンボ−ル芯を補強固紙で被覆する工程を示す作業図である。
【図４】本発明の折畳椅子の各成分のダンボ−ル芯の展開図である。
【図５】上記ダンボ−ル芯用補強固紙の展開図である。
【図６】本発明の折畳椅子の各成分をくるむ美粧紙の展開図である。
【図７】本発明の折畳椅子の各成分を接続する美粧紙の展開図である。
【符号の説明】
１              ダンボ−ル製折畳椅子  ２              六面体脚部  ３              補強座板  ４              正面板  ５              側面板  ６              天板裏面の美粧紙つなぎ  ７              正面板−側面板裏コ−ナ−美粧紙つなぎ  ８              側面板折り目裏美粧紙つなぎ  ９              正面板−側面板裏コ−ナ−美粧紙つなぎ１０              補強座板用ダンボ−ル芯１２              正面板用ダンボ−ル芯１３              側面板用ダンボ−ル芯
【図１】
2005218836.tif 000003
【図２】
2005218836.tif 000004
【図３】
2005218836.tif 000005
【図４】
2005218836.tif 000006
【図５】
2005218836.tif 000007
【図６】
2005218836.tif 000008
【図７】
2005218836.tif 000009
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
前後一対の美粧紙で被覆された横折り目付きダンボール正面板と、左右一対の同質の縦折り目付きダンボール側面板と、前記横折り目付きダンボール正面板の折り目に沿って折り曲げて形成された天板を補強する一対の美粧紙被覆補強ダンボール板とより成り、前記正面板及び側面板の各折り目及び各継ぎ目の表裏両面又は裏面のみを美粧紙製のつなぎ紙で接続して一体的に形成し、前記天板の継ぎ目又は前記側面板の折り目に沿い、一挙に二つ折りに折畳み得る様に構成した事を特徴とするダンボール製折畳椅子。
【請求項２】
前記折畳椅子の各面を耐水性着色塗料又は均等物で塗布した事を特徴とする請求項１記載のダンボール製折畳椅子。